(57)【要約】【課題】撮像対象と共に違和感なく撮影でき、簡単に光源種を特定可能な色チャートを用い、この色チャートの撮影画像の信号値から、特に肌色部位を少ない演算処理で色補正を行うことができる撮影システムを提供する。【解決手段】特定色からなる第１のパッチ、及びこれと条件等色となる第２のパッチを有する色チャート１を、発光スペクトルが既知である複数種の光源でそれぞれ照明して撮影し、得られた各画像から光源種毎に第１のパッチ及び第２のパッチからの画像信号値の情報を予め光源種データベース２５に予め保存しておき、撮影対象である患者１３と色チャート１とを同一条件で撮影した画像１７から、各パッチに対する信号値を求め、各パッチの信号値の差分情報に基づいて、撮影に用いた光源に最も近い光源種を光源種データベース２５を参照して特定し、この特定された光源種に応じて患者１３の画像１７の色補正を行い、モニター２１に表示する。【選択図】  図３
2006254309.tif 000002
【特許請求の範囲】
【請求項１】
撮影対象を照明する光源の種類に応じて撮影対象を撮影した画像に色補正を行い、該色補正後の撮影画像を前記撮影対象から離間して配置された表示手段に表示する撮影システムであって、
特定色からなる第１のパッチ、及び前記特定色に対して条件等色となる第２のパッチを少なくとも有する色チャートと、
前記色チャートと前記撮影対象とを同一条件で撮影する撮影手段と、
前記色チャートを発光スペクトルが既知である複数種の光源毎にそれぞれ照明して撮影して得た各画像から、光源種毎に前記第１のパッチ及び第２のパッチからの画像信号値の情報を予め保存した信号値データベースと、
前記撮影手段により撮影した画像から前記色チャートの各パッチに対する信号値を求め、各パッチの信号値の差分情報に基づいて、前記撮影に用いた光源に最も近い光源種を前記信号値データベースを参照して特定する光源特定手段と、
該光源特定手段により特定された光源種に応じて前記撮影対象の画像の色補正を行う色補正手段と、を備えたことを特徴とする撮影システム。
【請求項２】
前記第１のパッチの特定色がニュートラルグレーを含むことを特徴とする請求項１記載の撮影システム。
【請求項３】
前記第１のパッチの特定色が肌色を含むことを特徴とする請求項１又は請求項２記載の撮影システム。
【請求項４】
前記撮影手段が、前記色チャートと前記撮影対象とを同時に撮影することを特徴とする請求項１〜請求項３のいずれか１項記載の撮影システム。
【請求項５】
前記色チャートが、前記撮影画像から前記色チャートの領域を抽出するための識別情報を含むことを特徴とする請求項１〜請求項５のいずれか１項記載の撮影システム。
【請求項６】
前記識別情報が、前記色チャート又は各パッチの輪郭に斜め成分を持たせた形状情報であることを特徴とする請求項５記載の撮影システム。
【請求項７】
前記識別情報が、前記色チャートの一部に色度差の大きい色の対を持たせた色情報であることを特徴とする請求項５又は請求項６記載の撮影システム。
【発明の詳細な説明】
【技術分野】
【０００１】
本発明は、撮影システムに関し、特に、撮影対象と離れた場所からモニタリング等を行う場合に、撮影対象の正確な色再現を可能にする画像処理を行う撮影システムに関する。
【背景技術】
【０００２】
従来より、例えば、医療診断や、院内患者の顔色のモニター等を目的とした撮影システムでは、患者の肌色を忠実に再現できることが重要であるが、照明光源の違いにより異なる色に再現されてしまう等、色再現上好ましくない影響を受けてしまい、医療目的に必要十分な映像を必ずしも得られない状況であった。
照明光源の違いの色補正方法としては、撮影に先立ち、基準となる白色板を撮影し、その時の色信号値を基準とする方法（オートホワイトバランス調整）が一般的に行なわれている。しかし、撮影現場と観察者が離れている遠隔モニター方式等の場合には、そのような手法を用いることができない。更に、窓際からの外光や他の室内照明光源がシーンの一部に混在している場合には正しく補正ができない。
こうした課題に対して、図１０に示すような、室内での人物像１０１と一緒に色較正用色チャート１０３を常にシーンの一部に写し込むように配置して撮影を行い、代表的な照明条件下として、図１１（ａ）の自然光による光スペクトルと、図１１（ｂ）の蛍光灯下の光スペクトルの場合について、画像の色チャートの位置を検出して、その色チャートの既知の値と信号値の誤差が最も少なくなるようなマトリックス係数を求めて補正する方法がある（非特許文献１参照）。
【０００３】
【非特許文献１】カラーチャートを用いた照明光変動補正方法  星野担之他  日本画像学会子誌  ＶＯＬ．４３  ＮＯ．３  Ｐ１４２〜１４７  （２００４）
【発明の開示】
【発明が解決しようとする課題】
【０００４】
しかしながら、上記非特許文献１の補正方法の場合は、常に多色からなる色チャートが撮影シーン中にあることが必要で、撮影範囲が狭く制限されるという問題があった。また、撮影環境中に多色のカラーチャートを置くことは、少なからず利用者や周囲の者に違和感を感じさせることになる。
また、外光と室内照明光等の２種以上の照明光源がある場合については、色チャートから求めた上記の補正係数を適用できないといった問題が依然として残される。さらに、そもそも人間の肌色等をモニターしようとする場合に、色を比較するための基準色が無く、正確にモニターすることができないという問題があった。
そして、撮影画像の色再現性は照明光源に大きく影響されるが、一般には照明光源を特定することなく、カラーチャートより複雑なマトリクス計算により色の補正を行っている。そのため、色補正のための計算量が膨大となり、処理負担が大きいという問題があった。
【０００５】
本発明は、このような従来の状況に鑑みてなされたもので、撮像対象と共に違和感なく撮影でき、簡単に光源種を特定可能な色チャートを用い、この色チャートの撮影画像の信号値から、特に肌色部位を少ない演算処理で色補正を行うことができる撮影システムを提供することを目的としている。
【課題を解決するための手段】
【０００６】
本発明に係る上記目的は、下記構成により達成される。
（１）撮影対象を照明する光源の種類に応じて撮影対象を撮影した画像に色補正を行い、該色補正後の撮影画像を前記撮影対象から離間して配置された表示手段に表示する撮影システムであって、特定色からなる第１のパッチ、及び前記特定色に対して条件等色となる第２のパッチを少なくとも有する色チャートと、前記色チャートと前記撮影対象とを同一条件で撮影する撮影手段と、前記色チャートを発光スペクトルが既知である複数種の光源毎にそれぞれ照明して撮影して得た各画像から、光源種毎に前記第１のパッチ及び第２のパッチからの画像信号値の情報を予め保存した信号値データベースと、前記撮影手段により撮影した画像から前記色チャートの各パッチに対する信号値を求め、各パッチの信号値の差分情報に基づいて、前記撮影に用いた光源に最も近い光源種を前記信号値データベースを参照して特定する光源特定手段と、該光源特定手段により特定された光源種に応じて前記撮影対象の画像の色補正を行う色補正手段と、を備えたことを特徴とする撮影システム。
【０００７】
この撮影システムによれば、第１のパッチと条件等色となる第２のパッチで構成した色チャートを用いて、既知の複数種の光源による撮影画像における各パッチの信号値を、差分情報として予め保存しておき、実際の撮影対象の画像に対して、色チャートの各パッチの信号値同士の差分を求めて照明光源を特定し、この照明光源の色調に応じて撮影画像に色補正を行ってから表示する。このように、ある照明光源下で条件等色となるが分光特性の異なる色（以降、メタマーと呼称する）を用いた簡便な手法で照明光源種の特定が可能となり、照明光源種の違いによる色再現の違いを補正して、照明光源に特有な色ずれを低減できる。これにより、例えば、医療上で患者の肌色をモニターするような場合に、患者の肌色を正確にモニターすることが可能になる。また、本発明は前記医療分野を始め、化粧品等、広範囲な業界に適用が可能となる。
【０００８】
（２）前記第１のパッチの特定色がニュートラルグレーを含むことを特徴とする（１）記載の撮影システム。
【０００９】
この撮影システムによれば、メタマーの第１のパッチの特定色がニュートラルグレーとしたので、分光反射率が波長方向に一定となり、光源の分光特性に依存しないので、これを基準色として、メタマーのもう１方の信号値との比較により光源種を特定して色補正を行うことができる。
【００１０】
（３）前記第１のパッチの特定色が肌色を含むことを特徴とする（１）又は（２）記載の撮影システム。
【００１１】
この撮影システムによれば、メタマーの第１のパッチの特定色を肌色としたので、これを昼光時等の標準的な肌色に分光反射率を合わせて基準色として、もう１つのメタマー色との比較により光源種を特定して色補正を行うことができる。
【００１２】
（４）前記撮影手段が、前記色チャートと前記撮影対象とを同時に撮影することを特徴とする特徴とする（１）〜（３）のいずれか１項記載の撮影システム。
【００１３】
この撮影システムによれば、色チャートと撮影対象とが同時に撮影され、その場合に同一画像内に撮影対象と、その近くに小さな色チャートが目立たずに収まり、撮影対象の色信号を正確に検出できる。
【００１４】
（５）前記色チャートが、前記撮影画像から前記色チャートの領域を抽出するための識別情報を含むことを特徴とする（１）〜（４）のいずれか１項記載の撮影システム。
【００１５】
この撮影システムによれば、色チャートに撮影画像から抽出するための識別情報を含ませたので、撮影画像中からの色チャート検出処理が簡単になり、色チャートの位置が正確に抽出できる。
【００１６】
（６）前記識別情報が、前記色チャート又は各パッチの輪郭に斜め成分を持たせた形状情報であることを特徴とする（５）記載の撮影システム。
【００１７】
この撮影システムによれば、色チャートの識別情報に斜め成分の形状情報を持たせたので、例えば、四角形の名札等に比較して菱形等の斜め成分を持たせたことによって検出がしやすくなる。
【００１８】
（７）前記識別情報が、前記色チャートの一部に色度差の大きい色の対を持たせた色情報であることを特徴とする（５）又は（６）記載の撮影システム。
【００１９】
この撮影システムによれば、色チャートの識別情報として、色チャートの一部に色度差の大きい色の対を持たせたので、菱形等の形状の色チャートを色の対の枠取りによって、より検出が容易となる。
【発明の効果】
【００２０】
本発明に係る撮影システムによれば、撮像対象と共に違和感なく撮影でき、簡単に光源種を特定可能な色チャートを用い、この色チャートの撮影画像の信号値から、特に肌色部位を少ない演算処理で色補正を行うことができる。
【発明を実施するための最良の形態】
【００２１】
以下、本発明に係る撮影システムの好適な実施の形態について、図面を参照して詳細に説明する。
ここでは、本発明に係る撮影システムを、医療診断用の院内患者のモニターを目的として構成した場合を一例に説明する。
図１は本発明の撮影システムに使用される色チャートの平面図、図２は図１に示す色チャートの他の具体例を示す図、図３は本発明に係る撮影システムの構成図である。
図１において、１は患者の名札６の台紙７等に貼付けられた色チャートである。色チャート１は正しく色補正を行いたい部位に近い程好ましく、その色と形状は違和感が無いことが好ましいので、患者の識別カードや名札６等の台紙７と共に使用されるような形態が好ましい。
【００２２】
この色チャート１は昼光色のようにエネルギー分布に起伏の少ない光源下で条件等色（ある条件下で同色に見える）となる色の組合わせで構成されている。つまり、図１のグレー（２）とグレー（３）は互いにメタマーとなる色であり、肌色４と肌色５は互いにメタマーとなる色で構成されている。
また、色チャート１の形状は、図２の色チャートの他の具体例に示すように、撮影システム１００において検出がしやすく、自動追尾が簡便に行えるよう工夫することができる。例えば、一般に病院・病棟等の建家内では患者の周囲に斜めの直線成分を含む形状が少ないので、図２（ａ）のような、平行四辺形の色チャート１Ａ、図２（ｂ）に示すような菱形の色チャート１Ｂ等の形状とすることによって画像検出が容易となる。また、外枠８や色チャート１Ａ、１Ｂの輪郭は、撮影画像から位置が検出し易いように、濃度の高い黒や青、その他にも特徴のある色を組み合わせたパターンにすることが好ましい。
【００２３】
つまり、色チャートを画像内から抽出するための識別情報としては、斜め成分の形状情報や、色度差の大きい色の対を持たせた色情報等とすることができる。
【００２４】
撮影システム１００は、例えば図３に示すように、ＣＣＤ等の撮像素子からなる撮像カメラ１０により、病室１１内に居る撮影対象である患者１３を蛍光灯等の照明光源１５下で撮像する。患者１３の胸元には、上記の色チャート１が取り付けてあり、この色チャート１と患者１３の顔とを同時に撮影する。撮影された画像情報は、患者１３の居る病室１１から離れた医務室２０等に設置されたコンピュータ装置である制御部１９に送信され、画像処理が施された後、モニター２１に送信される。このとき画像情報は、患者１３と制御部１９（或いはモニター２１）との距離に応じて、院内ＬＡＮ、或いはインターネット等のネットワーク２３を介して送信される。モニター２１に表示された色補正後の診断用画像２７は、医師等の観察者２９に診断用情報として提供される。
【００２５】
制御部１９は、光源種データベース２５が接続され、白熱灯や蛍光灯等の各種光源Ａ、Ｂ、Ｃ、・・・についての色補正情報（信号変換係数Ｋr，Ｋg，Ｋb：詳細は後述）が適宜参照可能となっている。
制御部１９は、ネットワーク２３を介して送信されてきた画像情報から、色チャート１の情報を読み取り、撮影画像の撮影時における照明光源種、或いはこれに最も近い光源種を光源種データベース２５を参照しながら特定する光源特定手段として機能する。そして、特定された光源種の色調に応じた補正係数に基づいて、撮影画像の色情報を補正し、モニター２１に補正後の診断用画像２７を表示させる。この診断用画像２７は、照明光源種に応じて色補正された正確な肌色が再現されている。
【００２６】
ここで、色チャートによる照明光源の特定処理について、簡単に説明する。
基本的には、分光反射率が概ね一定なニュートラルグレー（中性灰色）を撮影したときに、出力される３色（ＲＧＢ等）の信号出力値が同値となるように調整すれば、この撮影システムでニュートラルグレーを撮影したときに、正確なニュートラルグレー（３色同値）として記録することができる。つまり、これにより色再現のキャリブレーションがなされる。
【００２７】
上記のニュートラルグレーに代えて、分光反射特性が異なる色同士で条件等色となる色の対を用いてキャリブレーションを行うこともできる。このような条件等色となる色は多数存在することが知られている。
【００２８】
こうした条件等色を利用して照明光の性質を判定する検査カードや装置が開発されている。例えば、図４に照明光源判定装置における色チャートの分光反射率分布を示すように、ａ，ｂ、２つの分光反射率分布を持った２枚の色票を使用する。このａ，ｂ、２枚の色票は昼光の下では等色に見えるが、白熱灯の下ではｂは赤みがかり、ａは青緑みを帯びて見える。また、高演色性蛍光ランプの下ではａ、ｂは等色に見えるが、標準型蛍光ランプの下では等色が崩れて色差が現れる。これらの性質を利用して照明光の性質を簡易に判定することができる。
【００２９】
本発明はこうした条件等色を利用するとともに、これら２つの色票を１つの色チャート１に収めて光源種を簡便にして特定できるようにし、特定された光源種に応じて、特に人間の肌色が忠実に色再現できるようにしたことに特徴を有している。なお、昼光照明の下で人間の肌色の分光反射率を忠実に再現した色材と等しく見えるが分光反射率の形状が異なる色材は多数存在する。本発明では、色チャートとして、こうした２種以上のメタマー色材の組み合わせを選ぶ場合、図４のａ、ｂのように、識別したい光源種間で差が大きい組み合わせを選定することが肝要となる。
【００３０】
次に、本撮影システムにおける撮影画像の色補正を行うに際し、前処理として撮影画像の光源種を特定するための光源種データベース２５を生成する処理を説明する。
本撮影システム１００の撮像カメラ１０の分光感度特性は、一例として図５に示す特性とする。基準の照明光源は昼光（ＣＩＥ規格値Ｄ６５）とし、他の照明光源種として、白色蛍光灯、昼光色蛍光等、３波長型蛍光灯（白色蛍光灯に緑、青、赤系の光エネルギーを加えて演色性を改善したもの）と白熱灯（色温度約３０００Ｋ）等を用意する。
【００３１】
本実施形態においては、互いにメタマーの関係となるカラーチャートのパッチとして、グレーのメタマーの対と肌色のメタマーの対の合計４色が用意される。グレーのメタマーとして、図６に示すニュートラルな分光反射率を有するチャート（マクベスカラーチェッカーのグレー）と図７に示す色材を用いＣＩＥＤ６５光源下で等色に見える色の分光反射率を有するチャートを用意する。肌色としては、図８に示す日本人女性の標準的な肌色（実線）の分光反射率と、図７に示す色材を用いてＣＩＥＤ６５光源下で等色に見える色の分光反射率を有するチャートを用意する。
【００３２】
いま、この撮影システム１００における撮像カメラ１０の分光感度をＳ（λ）、基準の照明光として昼光色（Ｄ６５）のエネルギー分布をＰｓ（λ）とする。本撮像カメラ１０を用いて色チャート１を撮影した場合、ニュートラルグレー部の各チャンネル（Ｒ，Ｇ，Ｂ）の信号値Ｅ0（ｒ），Ｅ0（ｇ），Ｅ0（ｂ）は、次の（１）〜（３）式で表される。
【００３３】
【数１】
2006254309.tif 000003
【００３４】
ただし、
Ｐｓ：基準光源（Ｄ６５）のエネルギー分布
Ｒ0 ：ニュートラルグレーの分光反射率
Ｓｒ，Ｓｇ，Ｓｂ：撮像カメラの分光感度
【００３５】
ここで出力される信号値Ｅ0（ｒ），Ｅ0（ｇ），Ｅ0（ｂ）は撮像カメラ１０の分光感度特性により変化するので、予め、ニュートラルグレーを基準の光源（昼光Ｄ６５）で撮影した場合の各チャンネルの出力が、それぞれ同値となるように装置を調整しておく。ここでは計算の便宜上、グレーチャートの反射率と同値となるように調整する。
【００３６】
次に、メタマー色の部分の信号値を算出する。
グレーのメタマー（１）の色材の分光反射率をＲ１（λ）とすると、信号値Ｅ1（ｒ），Ｅ1（ｇ），Ｅ1（ｂ）は、次の（４）〜（６）式で表せる。
【００３７】
【数２】
2006254309.tif 000004
【００３８】
但し、
Ｐｓ：基準光源（Ｄ６５）のエネルギー分布
また、基準光源の出力と比較して補正した結果は（７）式で表される。
【００３９】
【数３】
2006254309.tif 000005
【００４０】
同様にメタマー（２）（グレー（２）、又は肌色（２）に相当）の場合の信号値は次の（８）〜（１０）式で表される。
【００４１】
【数４】
2006254309.tif 000006
【００４２】
但し、Ｒ2（λ）はメタマー（２）の色材の分光反射率である。
基準光源による照明下では、信号値は（１１）式で表される。
【００４３】
【数５】
2006254309.tif 000007
【００４４】
このようにグレー（１）、グレー（２）、肌色（１）、肌色（２）の４色の色パッチからなる色チャートを撮像カメラ１０により撮影した場合のＲＧＢそれぞれの信号値は、メタマーの定義から、表１に示すように、グレーの２色は同値となり、肌色の２色も同値となる。
【００４５】
【表１】
2006254309.tif 000008
【００４６】
次に、照明光源が基準光源以外の場合の信号値の場合について、光源として白色蛍光灯を用いた場合の信号値について説明する。
白色蛍光灯の分光エネルギー分布をＰf1（λ）とすると、メタマー（１）の場合は（１２）〜（１４）式で、メタマー（２）の場合は（１５）〜（１７）式で表される。
【００４７】
【数６】
2006254309.tif 000009
【００４８】
上式で示されるグレー（１）、グレー（２）、肌色（１）、肌色（２）の４色の色チャート１を白色蛍光灯下で撮影した場合の信号値は、次の表２に示すように、グレー（１）とグレー（２）、肌色（１）と肌色（２）のＲＧＢの信号値が夫々異なる。
【００４９】
【表２】
2006254309.tif 000010
【００５０】
以下同様にして、白熱照明、三波長型蛍光灯等の光源についても信号値が求められる。
このように各種光源について、色チャート１を予め各種照明光源下で測定した各信号値をデータベース１６に記録しておき、（１８）式に示すように、メタマー（１）とメタマー（２）の信号値を信号変換係数Ｋr，Ｋg，Ｋb等により関係付ける。
【００５１】
【数７】
2006254309.tif 000011
【００５２】
これらの信号変換係数Ｋr，Ｋg，Ｋbを、光源種データベース２５に登録しておくことで、新たに撮影した画像に対して、画像中の色チャートのメタマー（１）とメタマー（２）の信号値の関係を求め、この信号値の関係と同一又は最も近い信号変換係数Ｋr，Ｋg，Ｋbを持つ光源種を選定すれば、撮影画像の照明光源に相応する光源種が特定される。本発明においては、グレー色の他に肌色のメタマーを用いることにより、特に肌色においてメタマー（１）とメタマー（２）の信号値の差が顕著となる場合に、光源種の特定精度が高められる。なお、ここでいう信号変換係数Ｋr，Ｋg，Ｋbは一例であって、他のパラメータを用いてメタマー（１）、（２）の関係を規定してもよい。
【００５３】
上記の手法により光源種が特定されれば、その光源種の色調に応じた色補正を周知の方法により撮影画像に施すことで、撮影画像に対して忠実に色再現することが可能となる。
【００５４】
次に、図３に示す撮影システム１００による遠隔画像診断処理の内容を、図９のフローチャートを参照して説明する。
まず、本撮影システム１００を用いて、図３に示すように、患者１３を照明光源１５下で撮像カメラ１０により撮影する（ステップ１、以降はＳ１と略記する）。こうして撮影した撮影画像１７をＬＡＮ等の院内専用ネットワークやインターネット等のネットワーク２３を介して医務室２０の制御部１９へ伝送する。
【００５５】
制御部１９は、患者１３の撮影画像１７を受信して、撮影画像から名札に設けられた色チャート１を検出する（Ｓ２）。このとき、図２に示すような、周囲環境に殆ど存在しない形状成分や色成分、或いは式差成分を備えた色チャート１を用いることで、色チャート１の検出が容易になる。そして、検出された色チャート１に対して、メタマー（１）とメタマー（２）の色に対するＲＧＢ各チャンネルの信号値Ｅ1（ｒ，ｇ，ｂ）、Ｅ2（ｒ，ｇ，ｂ）を求める（Ｓ３）。これらの信号値のメタマー（１）とメタマー（２）との差分情報に基づいて、光源種データベース２５を参照して、撮影画像１７の照明光に最も近い光源種を特定する（Ｓ４）。
【００５６】
次に、特定した光源種の色調に応じた色補正処理を撮影画像１７に施す（Ｓ５）。この色補正処理は、色チャート１のメタマー色の信号値が、基準光源下で得られるメタマー色の信号値と等しくなるように色補正する等の簡便な手法であってもよい。この他にも例えば、予め、照明光源毎にマクベス社製  色再現評価チャートを撮影して、各色の信号値と基準光源（昼光照明）下での信号値との関係付ける変換マトリクスを求めておき、撮影画像１７の照明光として特定した光源種の変換マトリックスにより、撮影画像１７を色補正するものであってもよい。その場合、色補正の精度を向上することができる。
【００５７】
次に、制御部１９は、撮影画像１７を色補正した結果を診断用画像２７としてモニター２１に送信する。モニター２１には色補正された診断用画像２７が表示される（Ｓ６）。診断用画像２７は、肌色が正確に再現された画像であり、観察者２９は患者１３の顔色を見て、患者の健康状態を的確に判断することが可能となる。
【００５８】
また、色補正に関しては、簡易的に光源差による色補正を施す場合、メタマー色の１つは分光反射率が波長方向に一定であるニュートラルグレーであり光源の分光特性に依存しないので、そのニュートラルグレーのパッチだけに注目して色補正を行えば、肌色に限らず、全色にわたって平均的に色補正が行える。
【００５９】
同様に、色チャートの肌色の一つを標準的な肌色に分光反射率を合わせておくことにより、特に肌色の再現のみに注目した色合わせを行うことができる。このように、メタマーとなる色の対を用いることで、光源種類の特定や色補正処理を、計算負担を軽減して簡便にして行うことができる。
【００６０】
なお、色チャート１の作製には、所望の色材の分光反射率が得られれば、銀塩感光材料、印刷、インクジェットプリンタ等の手段を用いて行うことができ、その作成手段については制限するものではない。
【００６１】
本発明に係る撮影システムの用途としては、ここまで説明したように、例えば、医療現場において患者の顔色を医師側が定期的にチェックしたい要望に対して、患者をわざわざ医師がいる診察室や医務室まで呼び出すこと無く、入院時には病室内から、在宅時には自宅から撮影画像をカラーチャートと共に、医師側に送信することにより直接問診した時のように、正確な顔色を確認することができる。よって、医師と患者が隔離された状況でも正確な診断が可能となる。
【００６２】
また、本発明の撮影システムは、上記のような医療現場に限らず、化粧関連の用途、食料品の品質・鮮度の確認、材質・材料の確認等、あらゆる業種の色判定・評価業務に適用可能である。
【図面の簡単な説明】
【００６３】
【図１】本発明の撮影システムに使用される色チャートの平面図である。
【図２】図１に示す色チャートの他の具体例を示す図である。
【図３】撮影システムの構成図である。
【図４】照明光源判定装置の分光反射率分布の示すグラフである。
【図５】撮像カメラの分光感度特性を示すグラフである。
【図６】ニュートラルな分光反射率を有するグレーインクの分光反射率分布と、図７の色材を用いて調製したメタマーの分光反射率を示すグラフである。
【図７】図６に示すメタマーを構成するのに用いた色材の分光濃度を示すグラフである。
【図８】日本人女性の標準的肌色の分光反射率分布と、図７の色材を用いて調製したメタマーの分光反射率分布を示すグラフである。
【図９】図３に示す撮影システムによる遠隔画像診断処理の内容を示すフローチャートである。
【図１０】従来の撮影画像を示す説明図である。
【図１１】自然光による光スペクトル（ａ）と、蛍光灯下の光スペクトル（ｂ）を示す図である。
【符号の説明】
【００６４】
１  色チャート
２  グレー（１）
３  グレー（２）
４  肌色（１）
５  肌色（２）
６  名前
７  台紙
８  チャート枠
１０  撮像カメラ
１３  患者（撮影対象）
１５  照明光源
１７  撮影画像
１９  制御部（光源特定手段）
２１  モニター
２３  ネットワーク
２５  光源種データベース
２７  診断用画像
２９  観察者
【図１】
2006254309.tif 000012
【図２】
2006254309.tif 000013
【図３】
2006254309.tif 000014
【図４】
2006254309.tif 000015
【図５】
2006254309.tif 000016
【図６】
2006254309.tif 000017
【図７】
2006254309.tif 000018
【図８】
2006254309.tif 000019
【図９】
2006254309.tif 000020
【図１０】
2006254309.tif 000021
【図１１】
2006254309.tif 000022